(57)【要約】【課題】本発明は、飛灰の系外への飛散を完全に防止し、更に飛灰の吸湿及び配管の閉塞も抑えて、ごみ焼却プラントから発生するごみ焼却飛灰含有排ガスより捕集されるごみ焼却飛灰をより安全に輸送することができるごみ焼却飛灰の輸送方法及び輸送装置に関する。【解決手段】本発明の課題は、ごみ焼却プラントから発生するごみ焼却飛灰含有排ガスを減温処理及び消石灰処理して捕集されるごみ焼却飛灰を輸送する方法及び装置において、ごみ焼却飛灰を飛灰輸送用配管に移送し、吸引装置により、加熱乾燥空気を飛灰輸送用配管のごみ焼却飛灰の移送部に供給しながら、ごみ焼却飛灰を該飛灰輸送用配管及び第２バグフィルタを経由して飛灰サイロに吸引輸送することを特徴とするごみ焼却飛灰の輸送方法及び輸送装置によって解決される。【選択図】          図１
2004150683.tif 000002
【特許請求の範囲】
【請求項１】
ごみ焼却プラントから発生するごみ焼却飛灰含有排ガスを減温塔で減温処理して捕集されるごみ焼却飛灰（１）と該減温処理の排ガスを更に第１バグフィルタで消石灰処理して捕集されるごみ焼却飛灰（２）を輸送する方法において、ごみ焼却飛灰（１）を飛灰輸送用配管に移送すると共に、ごみ焼却飛灰（２）を飛灰輸送用配管のごみ焼却飛灰（１）の移送部の下流側に移送し、吸引装置により、空気加熱器を介して加熱乾燥空気を飛灰輸送用配管のごみ焼却飛灰（１）の移送部に取り入れながら、ごみ焼却飛灰（１）とごみ焼却飛灰（２）を該飛灰輸送用配管及び第２バグフィルタを経由して飛灰サイロに吸引輸送することを特徴とするごみ焼却飛灰の輸送方法。
【請求項２】
空気加熱器において吸引装置により取り入れた空気を９５〜１５０℃に加熱乾燥する、請求項１記載のごみ焼却飛灰の輸送方法。
【請求項３】
飛灰輸送用配管を保温してごみ焼却飛灰を吸引輸送する、請求項１記載のごみ焼却飛灰の輸送方法。
【請求項４】
消石灰処理の排ガスを空気加熱器に導いて吸引装置により取り入れた空気を加熱乾燥する、請求項１又は２記載のごみ焼却飛灰の輸送方法。
【請求項５】
第２バグフィルタと吸引装置の間に空気冷却器を設置して第２バグフィルタを通過した加熱乾燥空気を冷却する、請求項１記載のごみ焼却飛灰の輸送方法。
【請求項６】
ごみ焼却プラントから発生するごみ焼却飛灰含有排ガスを減温塔で減温処理して捕集されるごみ焼却飛灰（１）と該減温処理の排ガスを更に第１バグフィルタで消石灰処理して捕集されるごみ焼却飛灰（２）を輸送する装置において、空気加熱器と、ごみ焼却飛灰（１）を飛灰輸送用配管に移送する装置と、ごみ焼却飛灰（２）を飛灰輸送用配管のごみ焼却飛灰（１）の移送部の下流側に移送する装置と、第２バグフィルタと、飛灰サイロと、吸引装置を備え、吸引装置により、空気加熱器を介して加熱乾燥空気を飛灰輸送用配管のごみ焼却飛灰（１）の移送部に取り入れながら、ごみ焼却飛灰（１）とごみ焼却飛灰（２）を該飛灰輸送用配管及び第２バグフィルタを経由して飛灰サイロに吸引輸送するようにしたことを特徴とするごみ焼却飛灰の輸送装置。
【請求項７】
ごみ焼却飛灰を吸引輸送する飛灰輸送用配管に保温を施した、請求項６記載のごみ焼却飛灰の輸送装置。
【請求項８】
消石灰処理の排ガスを空気加熱器に導いて吸引装置により取り入れた空気を加熱乾燥するようにした、請求項６記載のごみ焼却飛灰の輸送装置。
【請求項９】
第２バグフィルタと吸引装置の間に空気冷却器を設置して第２バグフィルタを通過した加熱乾燥空気を冷却できるようにした、請求項６記載のごみ焼却飛灰の輸送装置。
【発明の詳細な説明】
【０００１】
【発明の属する技術分野】
本発明は、ごみ焼却プラントから発生するごみ焼却飛灰含有排ガスより捕集されるごみ焼却飛灰、特にごみ焼却プラントから発生するごみ焼却飛灰含有排ガスを減温処理して捕集されるごみ焼却飛灰と該減温処理の排ガスを更に消石灰処理して捕集されるごみ焼却飛灰を系外に飛散させることなく輸送する技術に関する。
【０００２】
【従来の技術】
ごみ焼却プラントから発生するごみ焼却飛灰含有排ガス（特に都市ごみを焼却炉で焼却する際に発生するごみ焼却飛灰含有排ガス）より捕集されるごみ焼却飛灰をサイロに輸送する際、従来方式では、ごみ焼却飛灰含有排ガスを減温処理や更に消石灰処理して捕集される飛灰をコンベヤにて輸送したり（非特許文献１）、ボイラ、エコノマイザ、及びサイクロン集塵器によって捕集される飛灰を、空気加熱器を介して押込みブロワより送給される加温乾燥空気（約９０℃）にて空気輸送用配管を経て輸送していた（特許文献１）。しかし、コンベヤ輸送では、装置が複雑になってメンテナンスに手間がかかり、更にダイオキシン等の有害物質を含む飛灰がコンベヤから飛散するという問題があった。また、押込みブロワによる空気輸送では、輸送配管内が加圧状態となっているため、ロータリーバルブのシール部や配管の接続部等からの漏れ、磨耗や腐食等に起因する配管破損による噴出など、飛灰の飛散を完全に防止することは困難であり、更に、飛灰は水分を含んでいて粘性があるため、配管内へ付着して堆積成長し閉塞を起こす恐れがあった。
【０００３】
【非特許文献１】
日本紛体工業技術協会編「流動層ハンドブック」培風館、１９９９年３月２５日、ｐ．３７６−３８５
【特許文献１】
特開平８−２００６４６号公報（第１−３頁、第１−２図）
【０００４】
【発明が解決しようとする課題】
そこで、本発明は、飛灰の系外への飛散を完全に防止し、更に飛灰の吸湿及び配管の閉塞も抑えて、ごみ焼却プラントから発生するごみ焼却飛灰含有排ガスより捕集されるごみ焼却飛灰（特にごみ焼却プラントの排ガスを減温処理して捕集されるごみ焼却飛灰と該減温処理の排ガスを更に消石灰処理して捕集されるごみ焼却飛灰）をより安全に輸送することができるごみ焼却飛灰の輸送方法及び輸送装置を提供することを目的とする。
【０００５】
【課題を解決するための手段】
本発明は、ごみ焼却プラントから発生するごみ焼却飛灰含有排ガスを減温塔で減温処理して捕集されるごみ焼却飛灰（１）と該減温処理の排ガスを更に第１バグフィルタで消石灰処理して捕集されるごみ焼却飛灰（２）を輸送する方法において、ごみ焼却飛灰（１）を飛灰輸送用配管に移送すると共に、ごみ焼却飛灰（２）を飛灰輸送用配管のごみ焼却飛灰（１）の移送部の下流側に移送し、吸引装置により、空気加熱器を介して加熱乾燥空気を飛灰輸送用配管のごみ焼却飛灰（１）の移送部に取り入れながら、ごみ焼却飛灰（１）とごみ焼却飛灰（２）を該飛灰輸送用配管及び第２バグフィルタを経由して飛灰サイロに吸引輸送することを特徴とするごみ焼却飛灰の輸送方法にある。
【０００６】
本発明は、また、ごみ焼却プラントから発生するごみ焼却飛灰含有排ガスを減温塔で減温処理して捕集されるごみ焼却飛灰（１）と該減温処理の排ガスを更に第１バグフィルタで消石灰処理して捕集されるごみ焼却飛灰（２）を輸送する装置において、空気加熱器と、ごみ焼却飛灰（１）を飛灰輸送用配管に移送する装置と、ごみ焼却飛灰（２）を飛灰輸送用配管のごみ焼却飛灰（１）の移送部の下流側に移送する装置と、第２バグフィルタと、飛灰サイロと、吸引装置を備え、吸引装置により、空気加熱器を介して加熱乾燥空気を飛灰輸送用配管のごみ焼却飛灰（１）の移送部に取り入れながら、ごみ焼却飛灰（１）とごみ焼却飛灰（２）を該飛灰輸送用配管及び第２バグフィルタを経由して飛灰サイロに吸引輸送するようにしたことを特徴とするごみ焼却飛灰の輸送装置にもある。
【０００７】
次に、本発明の好ましい態様を列記する。
（１）空気加熱器において吸引装置により取り入れた空気を９５〜１５０℃に加熱乾燥する上記のごみ焼却飛灰の輸送方法。
（２）飛灰輸送用配管を保温してごみ焼却飛灰を吸引輸送する上記のごみ焼却飛灰の輸送方法。
（３）消石灰処理の排ガスを空気加熱器に導いて吸引装置により取り入れた空気を加熱乾燥する上記のごみ焼却飛灰の輸送方法。
（４）第２バグフィルタと吸引装置の間に空気冷却器を設置して第２バグフィルタを通過した加熱乾燥空気を冷却する上記のごみ焼却飛灰の輸送方法。
（５）ごみ焼却飛灰を吸引輸送する飛灰輸送用配管に保温を施した上記のごみ焼却飛灰の輸送装置。
（６）消石灰処理の排ガスを空気加熱器に導いて吸引装置により取り入れた空気を加熱乾燥するようにした上記のごみ焼却飛灰の輸送装置。
（７）第２バグフィルタと吸引装置の間に空気冷却器を設置して第２バグフィルタを通過した加熱乾燥空気を冷却できるようにした上記のごみ焼却飛灰の輸送装置。
【０００８】
【発明の実施の形態】
以下、本発明の実施の形態について、図１を参照しながら詳しく説明する。
図１は本発明のごみ焼却飛灰の輸送装置を示す一例の概略図である。
本発明のごみ焼却飛灰の輸送装置は、空気加熱器１５と、ごみ焼却プラントから発生したごみ焼却飛灰含有排ガスａを減温塔１で減温処理して捕集されるごみ焼却飛灰（１）を飛灰輸送用配管１７に移送する装置と、該減温処理の排ガスを更に第１バグフィルタ７で消石灰処理して捕集されるごみ焼却飛灰（２）を飛灰輸送用配管１７のごみ焼却飛灰（１）の移送部の下流側に移送する装置と、第２バグフィルタ１９と、飛灰サイロ２３と、吸引装置２７を備えていて、吸引装置２７により、空気加熱器１５を介して加熱乾燥空気を飛灰輸送用配管１７のごみ焼却飛灰（１）の移送部に取り入れながら、ごみ焼却飛灰（１）とごみ焼却飛灰（２）を飛灰輸送用配管１７及び第２バグフィルタ１９を経由して飛灰サイロ２３に吸引輸送するようにしたものである。以降、ごみ焼却飛灰（１）とごみ焼却飛灰（２）を、飛灰（１）、飛灰（２）と称する。
【０００９】
ここで、飛灰（１）を飛灰輸送用配管１７に移送する装置は、減温塔１の下流側に位置し、飛灰（１）を減温塔１からスクリューコンベヤロータリーフィーダ５へ搬送するスクリューコンベヤ３と、その飛灰（１）を飛灰輸送用配管１７に移送するスクリューコンベヤロータリーフィーダ５を含んで構成される。
また、飛灰（２）を飛灰輸送用配管１７に移送する装置は、第１バグフィルタ７の下流側に位置し、飛灰（２）を第１バグフィルタ７から第１バグフィルタダストコンベヤ１１へ移送する第１バグフィルタロータリーフィーダ９と、その飛灰（２）を第１バグフィルタダストコンベヤロータリーフィーダ１３へ搬送する第１バグフィルタダストコンベヤ１１と、その飛灰（２）を飛灰輸送用配管１７の飛灰（１）の移送部（スクリューコンベヤロータリーフィーダ５）の下流側に移送する第１バグフィルタダストコンベヤロータリーフィーダ１３を含んで構成される。
【００１０】
空気加熱器１５は、飛灰輸送用配管１７の飛灰（１）の移送部の上流側（飛灰（１）の移送経路とは異なる）に設置され、吸引装置２７により取り入れた空気を加熱乾燥し、該加熱乾燥空気を吸引装置２７により飛灰（１）の移送部に取り入れることができるようにしたものである。第２バグフィルタ１９は吸引装置２７により飛灰輸送用配管１７を通して吸引輸送されるごみ焼却飛灰を捕集できるように該配管１７の末端に設置される。また、飛灰サイロ２３は、第２バグフィルタロータリーフィーダ２１を介して、第２バグフィルタ１９で捕集されたごみ焼却飛灰を貯留できるように第２バグフィルタ１９の下流に設置される。
【００１１】
一方、吸引装置２７（好ましくは吸引ブロワ）は、第２バグフィルタ１９を通して、空気加熱器１５への空気の取り入れ、飛灰輸送用配管１７の飛灰（１）の移送部への加熱乾燥空気の取り入れ、及び、飛灰輸送用配管１７を通してのごみ焼却飛灰の吸引輸送ができるように、好ましくは空気冷却器２５を中間に置いて、第２バグフィルタ１９の下流に設置される。
なお、本発明では、第１バグフィルタ７を通過した消石灰処理の排ガスを空気加熱器１５に導いて吸引装置２７により取り入れた空気を好ましくは９５〜１５０℃に加熱乾燥するための配管２９を設置することが好ましい。また、空気加熱器１５の上流側にはサイレンサー１４を設置してもよい。
【００１２】
ごみ焼却プラントから発生したごみ焼却飛灰含有排ガスａ（特に都市ごみを焼却炉で焼却する際に発生するごみ焼却飛灰含有排ガス）は、減温塔１において冷却水ｃを噴霧することによって減温処理され、一部の飛灰（１）が減温塔１で捕集される。例えば、約３００℃のごみ焼却飛灰含有排ガスａ（流入量約４０，０００Ｎｍ３／Ｈｒ）が、減温処理では１６０〜１９０℃（好ましくは１７０〜１８０℃）になるように冷却水ｃ（噴霧量２〜４ｍ３／Ｈｒ）が噴霧される。減温処理されたごみ焼却飛灰含有排ガス（減温処理の排ガスｄ）は減温塔１から第１バグフィルタ７へ送られる。このとき減温塔１と第１バグフィルタ７の間の配管へ減温処理の排ガスｄ中の塩素分を中和するために消石灰ｂが紛体状（好ましくは粒径約５．０μｍ）で吹込まれる。吹込まれた消石灰ｂと減温処理の排ガスｄは主として第１バグフィルタ７のろ布面で効率的に反応して塩化カルシウムを含有する飛灰（２）として捕集される（消石灰処理）。このとき消石灰の吹込み量は焼却処理するごみの重量に対しての吹込み重量として１０〜３０ｋｇ／ごみｔ（更に好ましくは２０〜３０ｋｇ／ごみｔ）で行なうのが好ましい。また、この反応は１６０〜１９０℃（特に１７０〜１８０℃）で行なうのが好ましく、パーライト等の反応助剤を更に用いてもよい。
【００１３】
減温塔１で捕集された飛灰（１）は減温処理の際の冷却水噴霧により水分を含みシート状や塊状になるため、スクリューコンベヤ３で破砕及び搬送され、スクリューコンベヤロータリーフィーダ５を介して飛灰輸送用配管１７に移送される。第１バグフィルタ７で捕集された塩化カルシウムを含有する飛灰（２）も第１バグフィルタロータリーフィーダ９を介し第１バグフィルタダストコンベヤ１１で搬送され、更に第１バグフィルタダストコンベヤロータリーフィーダ１３を介して飛灰輸送用配管１７の飛灰（１）の移送部（スクリューコンベヤロータリーフィーダ５）の下流側に移送される。そして、飛灰輸送用配管１７に移送された飛灰（１）及び飛灰（２）は、吸引装置２７により、飛灰輸送用配管１７及び第２バグフィルタ１９を経て飛灰サイロ２３に安定的に吸引輸送される。このとき、飛灰輸送用配管１７の飛灰（１）の移送部（スクリューコンベヤロータリーフィーダ５）には、吸引装置２７により、空気加熱器１５を介して加熱乾燥空気が取り入れられる。即ち、吸引装置２７により、空気加熱器１５に好ましくはサイレンサー１４を介して空気が取り入れられ、該空気が空気加熱器１５で好ましくは９５〜１５０℃（更に好ましくは９５〜１１０℃）に加熱乾燥され、該加熱乾燥空気が飛灰輸送用配管１７の飛灰（１）の移送部に取り入れられる。なお、ごみ焼却飛灰の吸引輸送速度は２０〜３０ｍ／ｓｅｃ（特に２０〜２５ｍ／ｓｅｃ）であることが好ましく、空気はこの速度に対応して空気加熱器１５に取り入れられる。
本発明の輸送方法は上記のような吸引式による輸送であるため、空気加熱器１５から第２バグフィルタ１９に至る飛灰輸送用配管１７内が負圧（−２０００〜−３０００ｍｍＨ２Ｏ）になって、機械式コンベヤや押込み式の空気輸送方式に比べてダイオキシン等の有害物質を含んだごみ焼却飛灰がロータリーバルブのシール部や配管のフランジ部、更に磨耗や腐食等に起因する配管破損部から系外に飛散する可能性がなく、周囲の環境を汚染することがないのでより安全な輸送方法となる。
【００１４】
ごみ焼却飛灰、特に塩化カルシウムを含有するごみ焼却飛灰の輸送にあたっては、塩化カルシウムに吸湿性があり水分を含んで粘性になるため、飛灰が配管内へ付着して堆積成長し閉塞を起こす恐れがある。そこで空気加熱器１５により好ましくは９５〜１５０℃に空気を加熱乾燥させて加熱乾燥空気を飛灰輸送用配管１７内に取り入れることにより、水分を除去して吸湿を防止し、飛灰の配管内付着による閉塞を防ぐことができる。また、空気加熱器１５で空気を加熱する加熱源としてはヒーターを利用することもできるが、第１バグフィルタ７での消石灰処理後に排出される排ガス（１６０〜１９０℃）を利用し、これを空気加熱器１５に導くことにより空気を加熱乾燥することができ、余剰エネルギーの回収による運転コストの削減に寄与できる。
【００１５】
更に、輸送ラインからの放熱による温度低下を防いで輸送中の温度を好ましくは９５〜１５０℃に保つために飛灰輸送用配管１７は保温が施されて、スクリューコンベヤ３、第１バグフィルタダストコンベヤ１１、第２バグフィルタ１９、第２バグフィルタロータリーフィーダ２１は、飛灰の搬送、移送及び輸送に支障の無いようにヒーターで加熱されていることが好ましい。更に飛灰サイロ２３も、捕集されたごみ焼却飛灰の払出しに支障の無いように保温及び加熱が施されていることが好ましい。
【００１６】
第２バグフィルタ１９を通過した加熱乾燥空気は、空気冷却器２５により冷却されて吸引装置２７に吸引されることが好ましい。このときの冷却空気の温度は３０〜３５℃にするのが好ましい。
【００１７】
また、この吸引式の輸送システムには同系列のラインを複数系列設置することが可能であり、複数の減温塔及びバグフィルタから捕集されるごみ焼却飛灰を１ヶ所の飛灰サイロへ集約輸送することができる。
【００１８】
【発明の効果】
本発明により、飛灰の系外への飛散を完全に防止し、更に飛灰の吸湿及び配管の閉塞も抑えて、ごみ焼却プラントから発生するごみ焼却飛灰含有排ガスより捕集されるごみ焼却飛灰（特にごみ焼却プラントの排ガスを減温処理して捕集されるごみ焼却飛灰と該減温処理の排ガスを更に消石灰処理して捕集されるごみ焼却飛灰）をより安全に輸送することができる。即ち、吸引によりごみ焼却飛灰を輸送するため、飛灰輸送用配管１７内が負圧（−２０００〜−３０００ｍｍＨ２Ｏ）になり、機械式コンベヤや押込み式の空気輸送方式に比べて、ダイオキシン等の有害物質を含んだごみ焼却飛灰が系外に飛散する可能性が無く、より安全な輸送方法となる。
また、吸引式の輸送であるために、飛灰輸送用配管１７のごみ焼却飛灰の移送部（スクリューコンベヤロータリーフィーダ５、第１バグフィルタダストコンベヤロータリーフィーダ１３）へ搬送されてくる飛灰は、上部への吹き上がりがなくスムーズに輸送できる。
また、吸湿性をもった飛灰は、加熱乾燥空気を取り入れながら輸送されること及び配管のまわりに保温を施して放熱を防止することにより、吸湿を抑制し、配管内への付着がなくなって配管閉塞を防止できる。上記加熱乾燥空気の加熱源として第１バグフィルタ７での消石灰処理後に排出される排ガスを利用して、空気加熱器１５に導いて空気を加熱乾燥することで、余剰エネルギーの回収による運転コストの削減に寄与できる。
また、第２バグフィルタ１９を通過した高温のガスを冷却して吸引するため、吸引装置２７の損傷につながる吸引装置２７への悪影響が低減できる。
以上のことにより、ごみ焼却飛灰を外部に漏洩することなく安定して輸送することがが可能になる。
【図面の簡単な説明】
【図１】図１は本発明の一実施例を示す概要図である。
【符号の説明】
１：減温塔
３：スクリューコンベヤ
５：スクリューコンベヤロータリーフィーダ
７：第１バグフィルタ
９：第１バグフィルタロータリーフィーダ
１１：第１バグフィルタダストコンベヤ
１３：第１バグフィルタダストコンベヤロータリーフィーダ
１４：サイレンサー
１５：空気加熱器
１７：飛灰輸送用配管
１９：第２バグフィルタ
２１：第２バグフィルタロータリーフィーダ
２３：飛灰サイロ
２５：空気冷却器
２７：吸引装置
２９：消石灰処理の排ガス移送配管
ａ：ごみ焼却飛灰含有排ガス
ｂ：消石灰
ｃ：冷却水
ｄ：減温処理の排ガス
【図１】
2004150683.tif 000003